(57)【要約】      （修正有）【課題】装飾物を嵌め込むことにより自由に装飾できる嵌め込み装飾可能なスーツケースを提供する。【解決手段】嵌め込み装飾可能なスーツケース１０は、表面に複数の嵌め込み部１６を設けるケース本体１２と、形状やサイズが嵌め込み部と同じであり、嵌め込み部に任意に嵌め込んで外表面に模様を形成する複数の装飾物１４と、を含む。【選択図】図１
0003191796.tif 000002
【実用新案登録請求の範囲】
【請求項１】
外表面に複数の嵌め込み部を設けるケース本体と、
形状やサイズが前記嵌め込み部と合致し、前記嵌め込み部に任意に嵌め込んで前記ケース本体の外表面に模様を形成する、複数の装飾物と、を含む、
嵌め込み装飾可能なスーツケース。
【請求項２】
前記ケース本体はケース正面およびケース背面を含む、請求項１に記載の嵌め込み装飾可能なスーツケース。
【請求項３】
前記ケース正面および前記ケース背面は一辺で互いに繋がっている、請求項２に記載の嵌め込み装飾可能なスーツケース。
【請求項４】
前記ケース正面上および前記ケース背面上では前記嵌め込み部の配列方式が異なる、請求項２に記載の嵌め込み装飾可能なスーツケース。
【請求項５】
前記嵌め込み部および前記装飾物の形状は菱形である、請求項１に記載の嵌め込み装飾可能なスーツケース。
【請求項６】
前記装飾物上には複数のラインストーン、ガラスまたはプラスチックでさまざまな図柄が形成される、請求項５に記載の嵌め込み装飾可能なスーツケース。
【請求項７】
前記装飾物は前記ケース正面上および前記ケース背面上で同じまたは異なる模様を形作る、請求項２に記載の嵌め込み装飾可能なスーツケース。
【考案の詳細な説明】
【技術分野】
【０００１】
本考案はスーツケースの構造に関するものであって、特に、嵌め込み装飾可能なスーツケースに関するものである。
【背景技術】
【０００２】
スーツケースは旅行時に必須のアイテムであり、ハードケースとソフトケースの２種類の型式があり、ハードケースの長所は衝撃に強いことであるが、収納空間を拡張することはできず、比較的重い。ソフトケースは比較的軽く、中には幅を広げるファスナーにより収納空間を増大できる物もあるが、中に収納された物を保護する効果に乏しい。
【０００３】
普通は空港やホテルロビーで荷物を取り間違えることがないように、スーツケース識別のためケースの持ち手に名札を結びつけるが、名札を手に取ってみないと自分の物かどうかわからず、遠目から誰の物か判断することもできず、個人情報漏洩の恐れも出てくる。
また、中にはスーツケースの外側にバンドを巻く方法もあるが、スーツケースの外観とバンドの色の兼ね合いが考慮されるせいで、バンドの色の種類が少ない。よくある外観のスーツケースを使用する場合、自分のバンドの色と他人のバンドの色が同じになりやすく、識別度はあまり良くない上に、バンドのデザインも優れず、空港で紛失する可能性もある。
【考案の概要】
【考案が解決しようとする課題】
【０００４】
そこで本考案は、上述した従来技術の欠点に対し、上述の問題を克服するのに有効な、嵌め込み装飾可能なスーツケースを提案する。
【０００５】
本考案の主な目的は、スーツケース上の複数の嵌め込み部の大きさに合致する装飾物を嵌め込み、かつ、どんな装飾物をいくつ嵌め込めるかを自由に選択し、色々な模様を並べて装飾することで、スーツケースのデザインの豊富さと識別性を増すことができる、嵌め込み装飾可能なスーツケースを提供することである。
【０００６】
本考案のもう１つの目的は、装飾物自体がさまざまな異なる色や図柄を有し、スーツケースの外観により多彩なデザイン性を持たせることができる、嵌め込み装飾可能なスーツケースを提供することである。
【課題を解決するための手段】
【０００７】
上述の目的を達成するため、本考案が提供する嵌め込み装飾可能なスーツケースは、表面に複数の嵌め込み部を設けるケース本体と、形状やサイズが嵌め込み部と同じであり、嵌め込み部に任意に嵌め込んで外表面に模様を形成する複数の装飾物と、を含み、装飾物自体の図柄や色もさまざまな組み合わせを有するので、ケース上で装飾物を異なる色や異なる模様に組み合わせることで、スーツケースの識別性を高めて遊び心を加えられる。
【考案の効果】
【０００８】
本考案の嵌め込み装飾可能なスーツケースは、ケース正面と背面の両面にそれぞれ嵌め込み部を複数設置し、その形状や大きさに対応した装飾物を嵌め込むことができ、嵌め込み部に嵌め込む装飾物は任意に選べる。
スーツケースの正面および背面では同じまたは異なる模様が形成され、使用する嵌め込み部の数や装飾物の数は選択でき、装飾物自体の模様も多種多様である。従って、装飾物をスーツケース上に装飾した後は、使用者によってスーツケースの模様が異なるので、スーツケースの外観が似通ったり、混同したりする恐れがなく、使用者は気分によって好きなようにデザインを変更でき、極めて高い識別度や実用性を有する。
【図面の簡単な説明】
【０００９】
【図１】本考案の嵌め込み装飾可能なスーツケースの斜視図。
【図２】本考案の嵌め込み装飾可能なスーツケースの背面図。
【図３ａ】本考案の装飾物の実施例を示す図。
【図３ｂ】本考案の装飾物の実施例を示す図。
【図３ｃ】本考案の装飾物の実施例を示す図。
【図３ｄ】本考案の装飾物の実施例を示す図。
【図３ｅ】本考案の装飾物の実施例を示す図。
【図３ｆ】本考案の装飾物の実施例を示す図。
【図４ａ】本考案の嵌め込み装飾可能なスーツケースの正面の模様が「Ｚ」の文字である実施例を示す図。
【図４ｂ】本考案の嵌め込み装飾可能なスーツケースの背面の模様がスマイル（笑った顔）である実施例を示す図。
【考案を実施するための形態】
【００１０】
（実施例）
図１は本考案が提供する嵌め込み装飾可能なスーツケースの実施例の斜視図である。
この嵌め込み装飾可能なスーツケース１０はケース本体１２と複数の装飾物１４を含み、ケース本体はケース正面１２２およびケース背面１２４を含み、ケース本体１２の外表面には複数の嵌め込み部１６を設け、ケース正面１２２およびケース背面１２４は一辺で互いに繋がっている。装飾物１４は、形状や大きさが嵌め込み部１６と合致し、任意で嵌め込み部１６に嵌め込まれ、ケース本体１２の外表面に模様を形成する。
【００１１】
図１からわかるようにスーツケース１０のケース正面１２２上の嵌め込み部１６は菱形であり、この実施例ではケース正面１２２の右側に４行で整列した配列方式であるが、本願の嵌め込み部１６の配列は図１が示す方式に限らない。
装飾物１４の形状は嵌め込み部１６と同じなので、図１の実施例における装飾物１４も菱形であり、嵌め込み部１６にぴったり嵌って固定される。装飾物１４の位置は自由に選ぶことができ、使用者は好みの位置に装飾物１４を配置できる。図１のケース正面１２２には装飾物１４が３個配置される。
【００１２】
図２はスーツケース１０の背面図であり、ケース背面１２４上には複数の嵌め込み部１６を同様に有する。図２が示す実施例では嵌め込み部１６はケース背面の中央に５行で整列し、嵌め込み部１６によりケース背面１２４の外表面が埋められている。
図２は配列方式の実施例の１つを示すが、本願の嵌め込み部１６のスーツケース１０の背面における配列は図２で図示された方式に限らない。装飾物１４は同様にどの嵌め込み部１６にも任意で嵌め込むことができ、使用者の好みによりスーツケース１０の正面と同じまたは異なる模様を形作ることができる。図２ではケース背面１２４上に装飾物１４を６個配置し、縦に繋がった２個が１組をそれぞれ成すという形態である。
【００１３】
装飾物１４上には、ラインストーン、ガラスまたはプラスチックで多種の図柄が形成され、それらの形状や大きさは一定ではない。図３ａから図３ｆが示すのは６種類の装飾物１４の図柄の実施例である。
図３ａの装飾物１４は１つの大きな玉と複数の小さな玉で構成され、異なる埋め込み効果を有する玉は異なる色で表されている。図３ｂの装飾物１４はすべて大きさが同じ玉で構成されており、異なる色の玉を２種類だけ用いることで、装飾物１４の図柄がはっきりと表される。図３ｃ、図３ｄ、図３ｆの装飾物１４はいずれも同じ大きさの玉で構成されており、色と配列方式を異なったものにするだけで異なる視覚的効果を生み出すことができる。図３ｅでは菱形の装飾物１４の上下両端に菱形のラインストーン、ガラスまたはプラスチックの宝石を配置し、余った空間を玉で埋め尽くしており、２色の玉によって十字架の模様を形成し、装飾物１４の装飾効果がさらに増している。
【００１４】
装飾物１４の色の組み合わせや配列パターンは非常に多く、本考案の嵌め込み装飾可能なスーツケース１０は同じ模様の装飾物１４で装飾する以外に、異なる模様の装飾物１４を選択することもできる。これにより、たとえ二つのスーツケースの装飾物１４が同じように嵌め込み部１６に配置されていても、装飾物１４の図柄が異なることによって、二つのスーツケースを区別することができる。
【００１５】
図４ａは本考案の嵌め込み装飾可能なスーツケース１０の正面の模様の実施例である。装飾物１４を嵌め込み部１６にパズルのように嵌めて異なる模様を形作るという点に面白みがある。
たとえば図４ａでは装飾物１４をケース正面１２２上に嵌めてアルファベットの「Ｚ」の文字を形作っており、これにより、使用者の名前にＺが付くこと、使用者の番号が２６番であること、あるいは使用者の好きな文字が「Ｚ」であること、というようなさまざまな意味を含ませることができ、識別度は極めて高い。
「Ｚ」を形作る１０個の装飾物１４は同じ図柄の物でも異なる図柄の物でもよい。仮に、２つ以上のスーツケース１０の装飾がどれも「Ｚ」を形作ったものであったとしても、使用する装飾物１４の図柄は同じとは限らず、他のスーツケースと混同する可能性は極めて低い。
【００１６】
文字や数字以外に、その他模様を表すような配列もできる。たとえば、図４ｂは本考案の嵌め込み装飾可能なスーツケース１０の背面の模様の実施例を示した図であり、図中では装飾物１４でスマイル（笑った顔）の絵柄を形作っておいる。
上部には４個の装飾物１４で目を形成し、中間部には１個の装飾物１４で鼻を形成し、下部には７個の装飾物１４で口を形成している。万が一使用者のスーツケース１０正面の模様が完全に同じであっても、背面の模様や色も同じである確率は極めて低く、識別率は相当高い。
【００１７】
上述の記載は本考案の好ましい実施例の説明に過ぎず、本考案の実施範囲を限定するものではない。したがって、本考案の実用新案登録請求の範囲で述べられた特徴と精神に基づき加えられた各種の変更や潤色はすべて、本考案の実用新案登録請求の範囲内に含まれる。
【符号の説明】
【００１８】
１０    スーツケース
１２    ケース本体
１２２  ケース正面
１２４  ケース背面
１４    装飾物
１６    嵌め込み部
【図１】
0003191796.tif 000003
【図２】
0003191796.tif 000004
【図３ａ】
0003191796.tif 000005
【図３ｂ】
0003191796.tif 000006
【図３ｃ】
0003191796.tif 000007
【図３ｄ】
0003191796.tif 000008
【図３ｅ】
0003191796.tif 000009
【図３ｆ】
0003191796.tif 000010
【図４ａ】
0003191796.tif 000011
【図４ｂ】
0003191796.tif 000012